(57)【要約】      （修正有）【課題】人が身に着けるヘルメットや帽子等の対象物に付着した臭いを効果的に除去できるイオン発生装置を提供する。【解決手段】送風機と、イオンを発生させるイオン発生装置とを備え、前記イオン発生装置が発生したイオンを、前記送風機が送出する空気とともに外部に放出するようにし、対象物としてヘルメットが載置されたときに、ヘルメット内の最も臭い等が付着しやすい箇所に重点的にかつイオンが当たるようにヘルメットを載置する姿勢（位置）を特定する形状とし、また、除菌、殺菌、脱臭等を行ないたい対象物近傍に持ち運びでき、対象物に集中的にイオンを照射することができるようにした。【選択図】図６
2011257059.tif 000002
【特許請求の範囲】
【請求項１】
本体外観部を形成する筐体と、空気を吸い込む吸込口と、吸い込んだ空気を吹き出す吹出口と、吸込口と吹出口の間に位置して空気を送り出す送風機と、イオンを発生させるイオン発生装置とを備え、前記イオン発生装置が発生したイオンを、前記送風機が送出する空気とともに外部に放出するようになしてあるイオン発生機において、
前記筐体には、イオン照射される対象物に前記吹出口との位置関係が特定できる位置決め部が設けられていることを特徴とするイオン発生機。
【請求項２】
前記位置決め部は、筐体上部に設けられ対象物の一部を載置できる窪みが形成されていることを特徴とする請求項１記載のイオン発生機。
【請求項３】
前記位置決め部は、筐体の側面の側壁面が前記対象物との位置関係が特定できるように内部に凹んだ凹部を形成してなる請求項１または２のいずれかに記載のイオン発生機。
【請求項４】
前記凹部の側壁面に補助吹出口が設けられていることを特徴とする請求項３に記載のイオン発生機。
【請求項５】
前記筐体には、対象物の付属部品を掛けるフック部が収容自在に設けられていることを特徴とする請求項１から４のいずれかに記載のイオン発生機。
【請求項６】
前記送風機の風下で、かつイオン発生装置の風上に送風される空気を加熱する熱源を設けたことを特徴とする請求項１から５の何れかに記載のイオン発生機。
【発明の詳細な説明】
【技術分野】
【０００１】
本発明はイオン発生装置が発生したイオンを、送風機が送出する空気とともに放出するイオン発生機に関する。
【背景技術】
【０００２】
家庭、会社、学校、病院など、それぞれの居住空間や居住室内にはセラチア菌、バチルス菌等の細菌、ウイルス等が浮遊している。また、人が生活を営む生活空間には、さまざまな臭いが存在する。そこで、一般的な家庭内では、細菌、臭い等を解消する目的で、室内の空気を清浄化する空気調和機を室内に配していることが多い。
【０００３】
一例として、特許文献１および２に記載された空気調和機は、プラスイオンのＨ+ （Ｈ2 Ｏ）ｎ及びマイナスイオンのＯ2-（Ｈ2 Ｏ）ｎを発生させるイオン発生装置と、前記イオン発生装置が発生したＨ+ （Ｈ2 Ｏ）ｎ及びＯ2-（Ｈ2 Ｏ）ｎを室内に放出する送風機とを備える。この空気調和機はＨ+ （Ｈ2 Ｏ）ｎ及びＯ2-（Ｈ2 Ｏ）ｎを同時に発生、送出することにより、室内の浮遊菌等の表面で両方のイオンの化学反応によって活性種である水酸化ラジカル（・ＯＨ）又は過酸化水素Ｈ2 Ｏ2を生成する。この水酸化ラジカル（・ＯＨ）又は過酸化水素Ｈ2 Ｏ2は極めて強力な活性を示すため、浮遊細菌を分解、殺菌することができる。
【先行技術文献】
【特許文献】
【０００４】
【特許文献１】特許第３７７０７８４号公報（特開２００２−７８７８８号公報）
【特許文献２】特許第４４３６８７７号公報（特開２０１０−５５９６０号公報）
【発明の概要】
【発明が解決しようとする課題】
【０００５】
特許文献１および２に示すような空気調和機では、空気中の浮遊菌やウイルスなどを殺菌、不活化することが主なる目的であり、カーテンや、ハンガー等に掛けられている衣類等に付着している付着臭を除去する効果は、ほとんど期待できない。これは、発生イオンを、室内に四散するようにしており、カーテンやハンガー等に掛けられた衣類に到達するときには、イオンの量が少なくなるため、付着した臭いを脱臭、また細菌を除去、殺菌、不活化するまでに至らない。
【０００６】
しかも、人肌が直接的に接触する帽子やヘルメット等の汗臭などは付着物質の量も多く除去することは、非常に困難で、容易ではなかった。
【０００７】
そこで、居室空間や、室内の空気を浄化するといった目的でなく、帽子を含めたヘルメット等の対象物に付着している臭い、細菌等を除去、殺菌等を行う目的で、対象物に集中してイオンを照射し、除去効果を期待できるものが望まれるようになった。
【０００８】
しかし、引用文献１、２に記載の空気調和機や、イオン発生機によれば、居室空間の空気を浄化する目的で利用されるものであって、帽子やヘルメット等の対象物に付着した付着菌、付着臭を除去することは期待できない。つまり、帽子や、ヘルメットをイオンの吹出口にかざす必要があり、その姿勢を人為的に長時間強要することになる。また、かざし方によっては効果が期待できないこともある。
【０００９】
本発明は、人が身に着けるヘルメットや帽子等の対象物に付着した臭いを除去することができるイオン発生機を提供することを目的とするものである。
【００１０】
本発明の目的は、通常はイオン発生機本来の使用目的、つまり室内の空気中に浮遊している細菌やウイルス、また臭い等を発生イオンで除去等を行なえ、それとは別に帽子やヘルメット等の対象物に発生イオンを集中させて効率よく照射できるようにしたイオン発生機を提供するものである。
【００１１】
本発明の目的は、イオン発生機と対象物の位置関係を特定できる位置決めを行なうことで、その対象物に集中的に発生イオンを照射可能にしたイオン発生機を提供する。
【００１２】
また、本発明においては、除菌、殺菌、脱臭等を行ないたい対象物近傍に持ち運びでき、対象物に集中させて発生イオンを照射できるようにしたイオン発生機を提供する。
【課題を解決するための手段】
【００１３】
本発明に係るイオン発生機は、送風機と、イオンを発生させるイオン発生装置とを備え、前記イオン発生装置が発生したイオンを、前記送風機が送出する空気とともに外部に放出するようにしたイオン発生機である。
【００１４】
本発明のイオン発生機は、対象物としてヘルメットが載置されたときに、ヘルメット内の最も臭い等が付着しやすい箇所に重点的にかつイオンが当たるようにヘルメットを載置する姿勢（位置）を特定する形状とした。
【００１５】
例えば、前記イオン発生機は、ヘルメットや帽子等の対象物へ発生イオンを効率よく照射できるように、対象物をイオン発生部分の近傍に位置決めし、その位置関係を維持できるように構成されている。
【００１６】
そのため、イオン発生機の外郭（外観）を構成する筐体に、対象物を決められた位置に維持できる位置決め部を設けている。この位置決め部としては、一つではなく、種類の異なる対象物を位置決めるため複数設けることもできる。
【００１７】
また対象物としては、人が身につけることができ、載置した際に形状が崩れず、空間部分が形成されるものである。例えば、帽子やヘルメット等がある。その対象物の空間部分へイオンを集中して放出させることで、その空間部分のイオン濃度を室内で使用するときの濃度と比べものにならないほど、高濃度にすることができる。
【００１８】
また、対象物であるヘルメットの種類を考慮してイオン発生機の外郭を構成する筐体形状を適宜決定することで、さまざまなヘルメット、他の対象物においても同様に消臭効果を期待できる。
【００１９】
また、イオン発生装置の取付面の風下にイオン検出器を設置することで、発生イオンを監視でき、イオンの照射を確実なものと出来る。
【００２０】
また、イオン発生機の筐体のヘルメットの頬当て部に対応する部分に補助吹出口を設けることができる。これにより、ヘルメットの姿勢を保ったままでヘルメット内部の頬当て部や側頭部分にも消臭効果を行き渡らせることが出来る。
【発明の効果】
【００２１】
本発明によれば、対象物（例えばヘルメット）をイオン発生機に載置した場合に、載置した姿勢を特定するようにしたので、特に臭いや汗が付着しやすい箇所にイオンを集中させて照射することが可能となる。これにより、付着している付着臭を除去する効果を大きくすることができる。
【図面の簡単な説明】
【００２２】
【図１】本発明に係るイオン発生機の外観を示す側面図である。
【図２】本発明に係るイオン発生機の外観を示す上面図である。
【図３】本発明に係るイオン発生機の内部構造を示す縦断面図である。
【図４】本発明のイオン発生機の外観を示す斜視図である。
【図５】本発明に係るイオン発生装置の一具体例を示す上面図である。
【図６】本発明に係るイオン発生機の使用状態の一例を示す図である。
【図７】図６における使用状態とは別の使用状態を示す図である。
【図８】本発明に係るイオン発生機の使用状態の他の例を示す図である。
【図９】本発明に係るイオン発生機の他の形態の外観を示す側面図である。
【図１０】図９に示すイオン発生機を上部から目視した一部を破断して示した上面図である。
【図１１】本発明に係るイオン発生機の他の形態による使用状態を示す図である。
【図１２】本発明のイオン発生機におけるその他の形態を示すもので、（ａ）は収納状態を示す断面図、（ｂ）は使用状態を示す断面図。
【図１３】図１２に示すイオン発生機における使用状態を示す図である。
【発明を実施するための形態】
【００２３】
（第１の実施形態）
以下本発明をその実施の形態を示す図面に基づいて詳述する。図１は本発明に係るイオン発生機の外観を示す側面図、図２はイオン発生機の外観を示す上面図、図３は図２における中心部を切断したイオン発生機の構造を示す縦断面図、図４はイオン発生機の全体の外観を示す斜視図、図５は本発明に使用するイオン発生装置の一例を示すイオン発生部を上部から目視した上面図、また図６から図９は本発明のイオン発生機の各使用状態を示した図である。
【００２４】
まず、図１において、本発明のイオン発生機１について説明する。このイオン発生機１は、側面から見てイオン発生機１本体の外郭（外観）を構成する筐体２が概略楔形を呈している。つまり、イオン発生機１本体の外郭を構成する筐体２は、図１において左側（前方という）から右側（後方という）に向かうに従って、上部側が徐々に上勾配に傾斜するように形成されている。そして、その傾斜した部分の途中に、例えば人が身に着ける物のヘルメットの一部、例えばひたい部分やあご部分などヘルメットの種類に応じて位置決めすることができる突起Ａが形成されている。また、この突起Ａのさらに、傾斜方向上位置に突起Ｂが形成されている。この突起Ａと突起Ｂとの間で、突起Ａのほぼ直後には窪み３が形成される。この窪み３の部分は、突起Ａを含めて位置決め部を構成するもので、後で詳細を説明する上記ヘルメットの顎（あご）部分、または額（ひたい）部分が載置され、ヘルメットをイオン発生機との位置関係を特定できる位置決めを行なうものである。また、突起Ｂのほぼ直後にも一段低くなる窪み４が形成され。この窪み４についても、窪み３同様の機能、作用を有する。
【００２５】
図２に示すように、イオン発生機１を上から見ると筐体２は、概ね五角形の外観を呈し、イオン発生機１の前方側（図面の左側）に空気を吸い込む吸込口５、後方側（図面の右側）に吹出口６が形成されている。この筐体２には、図２において両側面側（図において上側と下側）から突起Ａと突起Ｂを挟むように、また内側へ湾曲形状に凹ました凹部７、７が形成されている。この筐体２は、突起Ａと吹出口６を繋ぐ部分はあたかも山脈のように連なっている。特に、突起ＡとＢとを結ぶ線が山の稜線となるように連なり、その稜線が中心となり、左右対称の形で筐体２が形成されている。
【００２６】
上述した両側面に形成された筐体２の凹部７、７は、例えばヘルメットを上記窪み３に係合させた際に、イオン発生機１本体がヘルメットの側面部分（例えば頬当て部分）が邪魔になるのを避け、このヘルメットの一部が凹部を形成する壁面に当接し、ヘルメットとの位置関係を特定できるように位置決めするものでもある。イオン発生機１本体の筐体２は、その外観は、底面に対し上部が、徐々に上位置、特に吹出口６の近くに向かうにしたがって、迫り上がり、山のように形成されている。そのため、底面側が非常に安定し、転倒を防止できる形状となっている。
【００２７】
次に、イオン発生機１の内部構造を図３を参照に詳細に説明する。図３において、筐体２の内部には、先に説明した前方および後方に吸込口５と、吹出口６とが形成され、それぞれをほぼ直線で結ぶ風路中に、ファンおよびモータ等からなる送風機８と、該送風機８と吹出口６とを接続して伸びる送風路９とを有している。また、送風路９には、イオン発生部を送風路９内に露出して配置されたイオン発生装置１０が設置される。また、イオン発生装置１０の風下には発生したイオンを検出するイオン検出器１１が設けられている。このイオン検出器１１は、イオン発生装置１０で発生したイオンを検出するもので、発生状態を監視している。イオン発生を検出しなくなると、イオン発生機１本体は、イオンを検出できない場合、また発生量が少ないような場合、表示や報知を行なうことになる。
【００２８】
上記吹出口６には、外部から指等の異物が挿入されるのを防ぐためのグリッド６１を配してある。また、吸込口５には、異物が内部に侵入するのを防止するパンチングメタル、また金網等からなるメッシュ５１が設けられている。
【００２９】
また、イオン発生装置１０は、イオンが発生する面が、図３に示すように送風路９を形成する平坦な下壁面に面するように送風路９に配置されている。そして、そのイオン発生装置１０に近接するように、送風路９の上記壁面と面一になるようにイオン検出器１１が配置されている。
【００３０】
以上のように、イオン発生装置１０にて生成されるイオンは、送風機８の動作により、吸込口５から空気を吸引し、送風路９を通過する際に、その風に乗って吹出口６から放出される。図３に示すように、空気はイオン発生機１本体の筐体２の下部付近より吸引され、筐体形状に合わせて上傾斜になる送風路９を通り、吹出口６から斜め上方へと放出される。このように、送風経路は、上向きで、ほぼ直線形状となり、障害となる物がなく効率よくイオンを放出することができる。
【００３１】
また、送風機８が、吸込口５と対向するようにして、筐体２のほぼ中心よりも下側で前方に配置されているため、イオン発生機１の重心が底面側寄りになる。その結果、イオン発生機１本体は、載置状態が安定し、転倒の防止効果が助長される。そのため、上述したような筐体２の形状、特にほぼ五角形状で山型形状と相俟って、イオン発生機１本体を安定させた状態で配置でき、転倒等の問題を解消できる。
【００３２】
一方、送風路９に配設されるイオン発生装置１０は、その一具体例を図６に示すように、正イオン発生部１２と負イオン発生部１３が独立して備えられている。このイオン発生部１２、１３を結ぶ直線は、送風機８が発生する風の通流方向と交差する方向となるように、二つのイオン発生部１２、１３が離隔して配置されている。
【００３３】
このイオン発生装置１０は、正イオン発生部１２と負イオン発生部１３の二つのイオン発生部に電圧を供給する給電部（図示せず）と、イオン発生部及び給電部を保持する保持体１６とを備え、給電部がイオン発生部１２、１３のそれぞれの放電電極１４、１５に正、負の高電圧を供給する。これにより、イオン発生部１２、１３がコロナ放電し、イオンを発生するように構成されている。
【００３４】
本実施の形態では、イオン発生装置１０は、放電電極１４、１５を針状電極としており、これを環状に包囲する誘導電極からなる針電極型イオン発生部を使用している。このようなイオン発生部の構成ではなく、絶縁基板上に放電電極を印刷によって形成した平面電極型イオン発生装置でも使用可能である。平面電極型イオン発生部で放電電極が一つの場合には、電極の方向と気流の方向は平行であっても交差する方向であっても構わない。一方、正イオンと負イオンのそれぞれを別々に発生する電極が存在する場合には、前述の針電極型イオン発生装置と同様に気流と交差する方向に離隔して設置するほうがイオンの放出量が増えるので好ましい。なお、一つの放電電極で正負のイオンを発生させる場合には、該放電電極に正又は負の高電圧を交互に供給することになる。
【００３５】
本発明に使用するイオン発生装置１０は、二つのイオン発生部を持ち、一方のイオン発生部１２が正イオンＨ＋（Ｈ２Ｏ）ｍ（ｍは任意の整数）、他方のイオン発生部１３が負イオンＯ２ −（Ｈ２Ｏ）ｎ（ｎは任意の整数）を空気中に送出する。これらの発生したイオンが対象物に付着して反応する際に、ＯＨラジカルや過酸化水素Ｈ２Ｏ２を生成して、殺菌や脱臭という効果をもたらす。正負の発生イオンの濃度は、高ければ高いほどその効果が顕著であることが知られている。この発生イオンは各々が再結合して消滅する性質を持つため、イオン発生装置１０の極近傍では高濃度が実現出来ても、送出する距離が遠くなればなるほど急激にその濃度が減少する。
【００３６】
そのため、発生した正負イオンが結合して消滅する前に、目的の対象物まで発生イオンを到達させ、上述した脱臭や殺菌を行なうようにすればよい。従って、イオン発生装置１０で発生したイオンを、効率よく吹出口６から放出させて、目的の対象物へと送り込む必要がる。図３に示す本発明のイオン発生機１によれば、送風機８を含む送風路９が、吹出口６までほぼ直線形状で、短く形成されているため、発生したイオンの結合をできるだけ抑え、吹出口６から効率よくイオンを放出でき、目的の対象物へと多くのイオンを送り込むことが可能となる。
【００３７】
図１から図３に示すイオン発生機１は、送風路９がほぼ直線形状に、また短くなることで、装置全体を小型化できる一方、発生イオンの結合をできるだけ抑えた状態で吹出口６から放出できる。そのため、イオン発生機１本体に任意の居室内に簡単に持ち運びでき、配置できる。また目的の対象物近傍に載置することができ、効率よくイオンを対象物に集中的に照射することが可能となる。また、任意の場所へと持ち運んで、配置しても、転倒するといったこともなく、安定した状態での使用が可能となる。
【００３８】
また、本発明では、イオン発生装置１０で発生したイオンを、対象物としてヘルメットに対して集中させて放出することを可能とし、ヘルメットの脱臭と除菌に加え乾燥に用いることを配慮した形状にしている。すなわち、出来る限り対象物の近傍で正負イオンを発生させるようにイオン発生装置１０を吹出口６の近傍に配置するとともに、対象となる例えば、ヘルメットとイオン発生機１との位置関係を最も好ましい状態が常に得られるように、イオン発生機１の外形を構成している。
【００３９】
しかも、本発明のイオン発生機１は、対象物の存在に関係なく、安定した設置が可能となったものでもある。また、イオン発生機１は、対象物の脱臭、細菌の除去、殺菌、また乾燥を行なう使用状態での位置関係を確実に維持できるように構成されている。
【００４０】
その使用例を図６に基づいて説明する。図６は顔が見えるタイプのヘルメット２０をイオン発生機１に、上述した使用状態を維持できるように載置した状態を示す図である。このタイプのヘルメット２０は、通常ジェットヘルメットと呼ばれている簡易型のヘルメットである。ジェット型ヘルメット２０は、人の頭及び顔の額部から頭頂部、後頭部と頬（両頬）、顎部を保護できるように覆う形状で、顔前面部分が開放されている。そこで、人の頭の額部、頭頂部、後頭部、両頬、顎部に対応するヘルメット２０の各部位を、順に符号で示しており２１付近は額部分、２２付近は頭頂部分、２３付近は後頭部分、２４付近は頬当て部分である。
【００４１】
そこで、イオン発生機１を使用目的の載置面１００に設置（載置）する。設置されたイオン発生機１に対し、ジェット型ヘルメット２０の額部分２１を突起Ａに対応した窪み３に載せる。窪み３に額部分２１を載置したヘルメット２０は、窪み３に係合し、突起Ａでその位置に規制される格好となる。そして、ヘルメット２０の両側の頬当て部分２４の角部分が載置面１００に載置され、位置決められた状態で維持（保持）される。
【００４２】
また、ヘルメット２０の両側の頬当て部分２４が、イオン発生機１の両側面に位置し湾曲形状に形成された凹部７の側壁面に対応することになり、その側壁面にヘルメットの一部が当接することで、位置決めが確実なものとなる。このときヘルメット２０は、イオン発生機１との位置関係が特定され、その位置関係が位置決められた状態で載置される。また、イオン発生機１の両側に凹部７を形成していることで、ヘルメット２０の載置を邪魔することなく、上述した位置決めを確実なもとしている。この凹部７，７間（側壁面７１間）を挟み込むようにしてヘルメット２０が特定の位置関係を保って載置される。
【００４３】
以上のようにヘルメット２０がイオン発生機１に載置されると、吹出口６を中心にヘルメット２０が両側から挟むように載置される。この載置された状態でイオン発生機１が運転されると、送風機８の送風によって吹出口６から放出された正負イオンがヘルメット２０内部の後頭部分２３や頭頂部分２２に直接、また集中的に放出される。次いで、放出されたイオンがヘルメット２０の内側全体に拡がり、至る所で付着する。このときのヘルメット２０内部、つまり空間部分のイオン濃度は、正負イオンが各々数百万個/ｃｍ３となっており、通常のイオン発生装置を搭載した空気調和機が室内環境において実現できる濃度の１００倍から１０００倍に相当する雰囲気を作り出すことができる。このように従来実現出来得なかった超高濃度のイオン空間を実現することが可能となり、ヘルメット２０の内壁面に付着する汗や皮脂の臭いが分解、消滅される。同時に、ウイルス等の付着菌、また浮遊菌についても殺菌、不活性化を効率よく行なえる。
【００４４】
また、イオンだけでなく、送風機８により送風される風により、ヘルメット２０の内部壁面の水分を除去し、同時に乾燥効果に期待できる。
【００４５】
なお、ジェット型ヘルメット２０としては、図６に示すような載置方法だけでなく、例えば図７に示すようにイオン発生機１に対して載置することができる。これは、ヘルメット２０の頬当て部分２４を、イオン発生機１の両側に設けられた凹部７、７に対応させて載置したものである。このヘルメット２０は、両側の頬当て部分２４でイオン発生機１の凹部７，７の両側壁面７１間を挟み込むようにして位置決められる。このようにしても、ヘルメット２０を凹部７，７にてイオン発生機１との位置関係を特定できる。
【００４６】
この載置状態において、後頭部分２３の下部が載置面１００と当接した状態で載置され、保持される格好となる。このヘルメット２０を立てた状態で、イオン発生機１に対して位置決めした状態で載置している。
【００４７】
また、ヘルメット２０の前面、つまり顔部分に対応した部分が、開放された状態でイオン発生機１に対し特定の位置関係を保って保持されている。そして、イオン発生機１の吹出口６と対向するヘルメット２０の内部は、頭頂部分２２と後頭部分２３との間を集中するようにしてイオンが照射される。そして、ヘルメットの内部の空間部分にイオンが拡がり、図６に示すような載置状態と同様に、ヘルメット内部（空間部分）が高濃度イオンの雰囲気となる。これにより、上述した図６と同様の作用効果を期待できる。
【００４８】
以上のように、図７に示すようにヘルメット２０を載置する場合、凹部７，７が、対象物であるヘルメット２０の位置決め部を構成する。従って、凹部７、７はジェット型（タイプ）のヘルメット２０の頬当て部分２４の一部と当接し、保持できるように、その形状に合わせて形成されている。
【００４９】
また、図８は、フルフェースと呼ばれる顔全体を包むタイプのヘルメット３０に対する使用例を示す。このタイプのヘルメット３０は、頭を挿入する穴がある下部以外、人の頭の全方位を保護するように覆う形状に形成されている。本発明のイオン発生機１は、頭部を挿入するための穴からイオン吹出口６を挿入するような状態となるようにヘルメットとの位置関係が保たれる。なお、図８に示すヘルメット３０を人が被ったときに、ヘルメット３０の頭及び顔に対応する部位として、符号で示した３１付近は額部分、３２付近は頭頂部分、３３付近は後頭部分、３４付近は頬当て部分、３５付近は顎部分に対応する。
【００５０】
このフルフェイス型のヘルメット３０は、顎部分３５を、イオン発生機１の突起Ａに対応した窪み３に載せるようにしている。このようにヘルメット３０の顎部分３５を決められた位置、つまり窪み３に載置すると、先に説明したように突起Ａにてその移動が規制される。そして、ヘルメット３０の頭挿入穴の周縁部（頬当て部分３４）の一部がイオン発生機１両側の凹部７、７の両側壁面７１に当接することになる。その側壁面７１には凹部７が対応しているため、ヘルメット３０を載置する場合に、邪魔になることはなく、吹出口６を挟むように位置決めすることができる。また、ヘルメット３０の顎部分３５と後頭部分３３の下部３６が、イオン発生機１を載置している載置面１００に載置された状態で、ヘルメット３０がイオン発生機１と特定の位置関係で保持される。
【００５１】
以上のように設置した状態でイオン発生機１が運転されると、送風機８の送風によって吹出口６から放出された正負イオンがヘルメット内部の頭頂部分３２に当たり、次いで後頭部分３３や空間部部の内側全体に拡がり、至る所で付着する。このときのヘルメット３０内部のイオン濃度は、正負イオンが各々数百万個/ｃｍ３となっており、通常のイオン発生装置１０を搭載した空気調和機が室内環境において実現できる濃度の１００倍から１０００倍に相当する。
【００５２】
なお、実験では、人工汗臭に対して、正負イオンを５千個/ｃｍ３で約４時間照射した場合に比べて、２百万個/ｃｍ３で照射した場合は臭気強度が１／１００程度に軽減されることが明らかになっている。当然のこととして、脱臭だけでなく、ヘルメット３０の内側に付着している細菌、またその内部で浮遊して細菌等についても、殺菌、またウイルス等については不活性化でき、その効果はイオン濃度を高濃度できることから、格段に向上される。
【００５３】
また、イオンだけでなく、送風機８により送風される風により、ヘルメット３０の内部壁面の水分を除去し、同時に乾燥効果に期待できる。
【００５４】
なお、脱臭、殺菌等を行う対象物として、自動二輪（原付バイクを含め）、また自転車用のものを対象とした各種タイプのヘルメットによる使用例を説明した。その他、対象物として、野球用のヘルメットにおいても同様に使用可能で、同様の作用効果を期待できる。また、その他、載置してもその形状、形が維持されるような帽子（ｃａｐ）でも同様に使用可能である。特に、載置しても形が崩れず、その形状を維持でき、かつ空間部分が存在するようなものであれば、対象物として使用できる。
【００５５】
上記ヘルメット２０、３０以外の形状のヘルメットや帽子については、そのヘルメットや帽子の対象物に合うようにイオン発生機１の筐体の外形を形成するようにすればよい。
【００５６】
（第２の実施形態）
次に、本発明の他の実施形態を説明する。この実施形態は、先に説明した第１の実施形態に対し、イオン発生機１の凹部７の側壁面７１にさらに補助吹出口を設けた例である。従って、基本は第１の実施形態で説明したイオン発生機１と同様の構成であり、符号等を同一にしており、その説明については省く。
【００５７】
上記の説明のとおり、イオン発生機１の筐体２側面に形成した凹部７の両側壁面７１はヘルメットの頬当て部分に対応するようにした箇所である。ヘルメットを人が装着している状態では人の頬に密着しており、イオン発生機に装着した状態でも側壁面７１と対応することになり、ヘルメットの一部が当接する。
【００５８】
そのため、第１の実施形態に記載のイオン発生機１では放出されるイオンを直接当てることが出来ない。従って、ヘルメットの頬当て部分に直接イオンを照射できるように補助吹出口を設けた。その他の構成は第１の実施形態と同じである。
【００５９】
そこで、図９を参照すれば、上述した補助吹出口６２は、凹部７の側壁面７１に開口されて設けられている。詳細を図１０に示すように、補助吹出口６２は、送風路９から分岐された分岐通路９２に連通されており、この通路９２を通じてイオンを導く。この分岐通路９２は、イオン発生装置１０の風下に形成されている。また、補助吹出口６２は、凹部７の側壁面７１の上位置に設けている。これは、ヘルメットの部分が当接して開口の全てが閉塞されるのを避ける目的で、また縦長形状に形成している。
【００６０】
以上のように構成されたイオン発生機１を載置面に載置し、図１１に示すようにフルフェイスタイプのヘルメット３０を載置する。この載置状態は、図８で説明した形態と同一である。図１１において、ヘルメット３０が位置決められた状態で載置されると、頬当て部分３４に対応するように補助吹出口６２が対向する。そのため、その部分にも集中して直接発生イオンが放出されることになる。
【００６１】
したがって、ヘルメット３０の頭頂部分３２の付近だけでなく、頬当て部分３４も直接イオンを集中するようにて放出できる。そのため、脱臭、除菌等の効果をさらに助長することができる。しかも、送風機８による風により、乾燥効果も同時に高まる。
【００６２】
（第３の実施形態）
次に、第３の実施形態について説明する。通常、ヘルメットは頭部を保護するような形状に形成されており、使用目的等においてその形状等が異なる。上述の対象物として、特に自転車や、自動２輪等に搭乗する際の保護用のヘルメットを説明した。その他に、建設、工事用のヘルメットもある。そのようなヘルメットに対応するようにイオン発生機１の筐体２の外郭を、載置した場合に特定の位置関係を確保できるように形成される。
【００６３】
これらのヘルメットに共通しているのは、頭部からヘルメットが脱落するのを防止する目的で、顎紐が設けられている。この顎紐が、ヘルメットをイオン発生機１に載置する際に邪魔になるのを避けると同時に、この顎紐についても多量の汗等が付着する。この汗等による付着臭を同時に効率よく脱臭する形態が第３の実施形態であり、以下の図１２を参照にその構成を詳細に説明する。なお、この第３の実施形態においても、顎紐に関する部分が第１および第２の実施形態とは異なり、その他の部分については同一である。そのため、同一符号で示しているものについては、説明を省く。
【００６４】
図１２において、イオン発生機１の外郭を構成する筐体の一部には、顎紐を掛けるためのフック部１７が収容できる部分を設けている。この部分は、送風路９および吹出口６の上部に設けられた空間領域であって、この空間領域にフック部１９が設けられている。つまり、送風路９が形成される上部壁面９１と筐体２の送風路９に対応する内壁面との間に空間領域が設けられている。
【００６５】
この空間領域に、送風方向の前後にスライド可能に棒状のスライド部１８を設け、そのスライド部１８の先端に回動自在に軸支１９されたフック部１７を設けている。また、スライド部１８は、筐体２に対向する面側に、位置決め用の切欠き部１８ａ、１８ｂが形成されている。一方、筐体２側には切欠き部１８ａ、１８ｂに対向するように、この切欠き部に嵌まり込み、係止するための突起２ａが設けられている。
【００６６】
上記フック部１７は、先に説明したように顎紐を掛けるために設けられたもので、軸支部１９と反対側の端部が、上方向に折り曲げされたＬ字形状に形成されている。
【００６７】
従って、フック部１７は、非使用時には図１２（ａ）に示すように、押し込むことでスライド部１８が図において左方向（前方）にスライドされ、空間領域に収容される。この時、スライド部１８の切欠き部１８ｂが筐体２側の突起２ａに嵌まり込み位置決められた状態で係止される。そして、フック部１７は、紐を掛けるためのＬ字の先端部が突出し、その他の部分は収容されている。
【００６８】
そこで、ヘルメットをイオン発生機１に対し、脱臭、除菌等を行なう時には、ヘルメットの顎紐が邪魔にならないように、上記フック部１７に顎紐を掛けるようにするために、フック部１７を使用形態にする。
【００６９】
そのため、図１２（ａ）の状態から、フック部１７を右方向に引張る。この時、スライド部１８の切欠き部１８ｂが突起２ａから外れる。そして、スライド部１８の切欠き部１８ａに突起２ａが対応した位置で嵌まり込み、その状態が維持される。これによりフック部１７は、軸支部１９にて回動し、図に示す状態で維持される。なお、フック部１７は、回動自在に設けられているが、図１２（ｂ）に示すような位置で回動規制される構成となっている。これは、周知の構成、手段を用いることで簡単に構成できる。
【００７０】
図１２（ｂ）に示す状態でフック部１７を引き出し、使用状態にセットすることで、図１３に示すように顎紐２５をフック部１７に引っ掛けた状態でヘルメット２０を載置する。このヘルメットは、図６、図７で示したジェットタイプのヘルメットである。その他のヘルメットでも同様である。
【００７１】
図１３に示すようにヘルメット２０の載置を完了すれば、イオン発生機１が動作し、先に説明したようにヘルメットの内部空間にイオンが放出され、高濃度イオンの雰囲気を作り出すことができる。この時、顎紐４５が自由に動くことを規制されるため、吹出口６を閉塞したり、送風を邪魔することもない。また、顎紐４５においても送出されるイオンで除菌、脱臭が効果的に行なわれ、同時に乾燥効果も期待できる。このように第１および第２実施形態で説明したと同様の作用効果を期待できる。
【００７２】
なお、この実施形態において、第１の実施形態で説明したように補助吹出口６２を必要に応じて設けることができる。
【００７３】
（イオン発生機による他の使用例）
イオン発生機１においては、対象物の除菌、脱臭を行なう使用例を説明した。特に対象物として、載置した状態で形状が崩れず、空間部分が形成される帽子、ヘルメットについて説明した。
【００７４】
しかし、このような使用形態だけでなく、その他にも利用可能である。先に説明したイオン発生機１は、対象物を特定の位置関係を保持できるようにイオン発生機１に対して載置できるようにしてはいるが、イオン発生機１単体での利用もできる。
【００７５】
また、イオン発生機１は、送風機８と吹出口６との間の送風路９を短く、ほぼ直線形状に形成しているため、小型化ができ持運び自在に構成している。そのため、発生イオンをその傾斜方向へと放出できるため、途中に送風に障害となる部分がないため、効率よくイオンを外部空間へと放出することができる。また、吸込口５を含め吹出口６をほぼ直線状にし、同時に吹出口へと上傾斜に送風路９等を形成している。そのため、発生イオンを上傾斜に沿うようにして照射できるため、イオン発生１を載置した応対では、目的とする対象物に向けて集中してイオンを放出できる。
【００７６】
そこで、個人使用を行なう目的で、帰宅時等にイオン発生機をテーブル等の平坦面に載置する。人がその位置に座ることで、吹出口６を顔を含む頭部辺りに向けることができる。そして、イオン発生機１を動作させる。顔、頭髪にイオンを放出させることで、汗や臭いを効率よく除去することもできる。また、正負イオンを発生させることで、イオンには多量の水成分がクラスタ化しており、その水分で保湿等の効果も期待できる。
【００７７】
また、口中についても集中させてイオンを照射できるため、帰宅時のうがい用としても利用でき、効果を期待できると同時にウイルス、細菌等の殺菌、不活化により風邪等の予防にも効果的といえる。
【００７８】
なお、本発明のイオン発生機１において、ヘルメットの脱臭、細菌の除去等を行なう場合、より短時間にその効果を発揮させるためにも、イオン発生機１に加熱源を設けると効果的である。その例を、図１２に示している。加熱源としては、例えばコイル状に形成したヒータ８１を、送風機８の直後に配置する。このヒータ８１は、イオン発生装置１０の風上で、送風機８の風下の送風路９に設けられている。このようにヒータ８１を設けることで、熱による汗等の水分を除去する効果が高まり、同時に脱臭効果も高められる。また、イオン発生がヒータ８１の影響を差ほど受けることなく、吹出口よりイオンを放出できる。実験によればヒータを搭載した場合、布に付着した人口汗臭に対して、正負イオンを２百万個／ｃｍ３で焼く１．５時間照射した結果と、ヒータを搭載せずに２百万個／ｃｍ３で４時間照射した結果がほぼ同等の消臭効果を発揮することが明らかになっている。
【符号の説明】
【００７９】
１    イオン発生機
２    筐体
３    窪み（位置決め部）
５    吸込口
６    吹出口
６２    補助吹出口
７    凹部（位置決め部）
８    送風機
８１    ヒータ（熱源）
９    送風路
１０    イオン発生装置
１１    イオン検出器
２０    ヘルメット（ジェット型）
３０    ヘルメット（フルフェイス型）
Ａ    突起（位置決め部）
【図１】
2011257059.tif 000003
【図２】
2011257059.tif 000004
【図３】
2011257059.tif 000005
【図４】
2011257059.tif 000006
【図５】
2011257059.tif 000007
【図６】
2011257059.tif 000008
【図７】
2011257059.tif 000009
【図８】
2011257059.tif 000010
【図９】
2011257059.tif 000011
【図１０】
2011257059.tif 000012
【図１１】
2011257059.tif 000013
【図１２】
2011257059.tif 000014
【図１３】
2011257059.tif 000015
【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
本体外観部を形成する筐体と、空気を吸い込む吸込口と、吸い込んだ空気を吹き出す吹出口と、吸込口と吹出口の間に位置して空気を送り出す送風機と、イオンを発生させるイオン発生装置とを備え、前記イオン発生装置が発生したイオンを、前記送風機が送出する空気とともに外部に放出するようになしてあり、
前記筐体の上部には、
ヘルメットの顎部分または額部分が載置される窪みが設けられ、
前記筐体の両側面には、
前記ヘルメットの顎部分または額部分が前記窪みに載置され、かつ、該筐体を載置している載置面に該ヘルメットの下部が載置されているときに、該ヘルメットの左右両側の頬当て部分に挟み込まれるように、凹部が設けられており、
左右両側の頬当て部分が前記凹部を挟み込むように、顎部分または額部分が前記窪みに下部が前記載置面にそれぞれ載置されることにより、前記ヘルメットが位置決めされた状態で使用されるヘルメット用イオン発生機であって、
前記吹出口は、
前記位置決めされたヘルメットの内部に向けて、イオンを含んだ空気を吹き出すことを特徴とするイオン発生機。
【請求項２】
前記ヘルメットはフルフェイス型のヘルメットであり、
前記窪みは、
前記ヘルメットの顎部分が載置されるものであり、
前記凹部は、
前記ヘルメットの顎部分が前記窪みに載置され、かつ、前記載置面に前記ヘルメットの後頭部分の下部が載置されているときに、前記ヘルメットの左右両側の頬当て部分に挟み込まれ、該ヘルメットの一部が当接するように設けられており、
前記ヘルメットは、
左右両側の頬当て部分が前記凹部を挟み込むように、顎部分が前記窪みに後頭部分の下部が前記載置面にそれぞれ載置され、一部が該凹部に当接することにより、前記位置決めがなされることを特徴とする請求項１に記載のイオン発生機。
【請求項３】
前記ヘルメットはジェット型のヘルメットであり、
前記窪みは、
前記ヘルメットの額部分が載置されるものであり、
前記凹部は、
前記ヘルメットの額部分が前記窪みに載置され、かつ、前記載置面に前記ヘルメットの頬当て部分の角部分が載置されているときに、前記ヘルメットの左右両側の頬当て部分に挟み込まれ、該ヘルメットの一部が当接するように設けられており、
前記ヘルメットは、
左右両側の頬当て部分が前記凹部を挟み込むように、額部分が前記窪みに頬当て部分の角部分が前記載置面にそれぞれ載置され、一部が該凹部に当接することにより、前記位置決めがなされることを特徴とする請求項１に記載のイオン発生機。
【請求項４】
前記凹部の側壁面に補助吹出口が設けられていることを特徴とする請求項１から請求項３の何れかに記載のイオン発生機。
【請求項５】
前記筐体には、前記ヘルメットの顎紐を掛けるフック部が収容自在に設けられていることを特徴とする請求項１から請求項４の何れかに記載のイオン発生機。
【請求項６】
前記送風機の風下で、かつ前記イオン発生装置の風上に、送風される空気を加熱する熱源を設けたことを特徴とする請求項１から請求項５の何れかに記載のイオン発生機。
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
本体外観部を形成する筐体と、空気を吸い込む吸込口と、吸い込んだ空気を吹き出す吹出口と、吸込口と吹出口の間に位置して空気を送り出す送風機と、イオンを発生させるイオン発生装置とを備え、前記イオン発生装置が発生したイオンを、前記送風機が送出する空気とともに外部に放出するようになしてあり、
前記筐体の上部には、
フルフェイス型のヘルメットの顎部分が載置される窪みが設けられ、
前記筐体の両側面には、
前記ヘルメットの顎部分が前記窪みに載置され、かつ、該筐体を載置している載置面に該ヘルメットの後頭部分の下部が載置されているときに、該ヘルメットの左右両側の頬当て部分に挟み込まれ、該ヘルメットの一部が当接するように凹部が設けられており、
左右両側の頬当て部分が前記凹部を挟み込むように、顎部分が前記窪みに後頭部分の下部が前記載置面にそれぞれ載置され、一部が該凹部に当接することにより、前記ヘルメットが位置決めされた状態で使用されるヘルメット用イオン発生機であって、
前記吹出口は、
前記位置決めされたヘルメットの内部に向けて、イオンを含んだ空気を吹き出すことを特徴とするイオン発生機。
【請求項２】
本体外観部を形成する筐体と、空気を吸い込む吸込口と、吸い込んだ空気を吹き出す吹出口と、吸込口と吹出口の間に位置して空気を送り出す送風機と、イオンを発生させるイオン発生装置とを備え、前記イオン発生装置が発生したイオンを、前記送風機が送出する空気とともに外部に放出するようになしてあり、
前記筐体の上部には、
ジェット型のヘルメットの額部分が載置される窪みが設けられ、
前記筐体の両側面には、
前記ヘルメットの額部分が前記窪みに載置され、かつ、該筐体を載置している載置面に該ヘルメットの頬当て部分の角部分が載置されているときに、該ヘルメットの左右両側の頬当て部分に挟み込まれ、該ヘルメットの一部が当接するように凹部が設けられており、
左右両側の頬当て部分が前記凹部を挟み込むように、額部分が前記窪みに頬当て部分の角部分が前記載置面にそれぞれ載置され、一部が該凹部に当接することにより、前記ヘルメットが位置決めされた状態で使用されるヘルメット用イオン発生機であって、
前記吹出口は、
前記位置決めされたヘルメットの内部に向けて、イオンを含んだ空気を吹き出すことを特徴とするイオン発生機。
【請求項３】
前記凹部の側壁面に補助吹出口が設けられていることを特徴とする請求項１または請求項２に記載のイオン発生機。
【請求項４】
前記筐体には、前記ヘルメットの顎紐を掛けるフック部が収容自在に設けられていることを特徴とする請求項１から請求項３の何れかに記載のイオン発生機。
【請求項５】
前記送風機の風下で、かつ前記イオン発生装置の風上に、送風される空気を加熱する熱源を設けたことを特徴とする請求項１から請求項４の何れかに記載のイオン発生機。